【手続補正書】
【提出日】平成20年5月7日(2008.5.7)
【手続補正１】
【補正対象書類名】特許請求の範囲
【補正対象項目名】全文
【補正方法】変更
【補正の内容】
【特許請求の範囲】
【請求項１】
測定ベースデバイスモデルプロファイルから変換ベースプロファイルを作成する色処理装置であって、
前記測定ベースデバイスモデルプロファイルのデータを用いて、デバイス色値を表色値に変換するデバイスモデルを初期化する第一の初期化手段と、
前記デバイスモデルを用いて、デバイス色域境界を生成する第一の生成手段と、
プロファイル接続空間の色域境界を生成する第二の生成手段と、
前記デバイス色域境界と前記プロファイル接続空間の色域境界を用いて、色域マッピングモデルを初期化する第二の初期化手段と、
前記デバイスモデルと前記色域マッピングモデルを用いて、デバイス空間のサンプリングデータを変換し、前記変換ベースプロファイルにおけるAtoBルックアップテーブルを作成する作成手段とを有することを特徴とする色処理装置。
【請求項２】
前記第一の生成手段は、カラーアピアランスモデルを用いて、デバイス測色データからアピアランスデータを生成するアピアランスデータ生成手段を有し、前記アピアランスデータ生成手段によって、前記デバイスモデルを用いて変換したデバイス測色データからアピアランスデータを生成し、前記生成したアピアランスデータから前記デバイス色域境界を生成することを特徴とする請求項1に記載された色処理装置。
【請求項３】
測定ベースデバイスモデルプロファイルから変換ベースプロファイルを作成する色処理装置であって、
前記測定ベースデバイスモデルプロファイルのデータを用いて、デバイス色値を表色値に変換するデバイスモデルを初期化する第一の初期化手段と、
前記デバイスモデルを用いて、デバイス色域境界を生成する第一の生成手段と、
プロファイル接続空間の色域境界を生成する第一の生成手段と、
前記デバイス色域境界と前記プロファイル接続空間の色域境界を用いて、色域マッピングモデルを初期化する第二の初期化手段と、
前記デバイスモデルと前記色域マッピングモデルを用いて、前記プロファイル接続空間のサンプリングデータを変換し、前記変換ベースプロファイルにおけるBtoAルックアップテーブルを作成する作成手段とを有することを特徴とする色処理装置。
【請求項４】
測定ベースデバイスモデルプロファイルから変換ベースプロファイルを作成する色処理方法であって、
前記測定ベースデバイスモデルプロファイルのデータを用いて、デバイス色値を表色値に変換するデバイスモデルを初期化し、
前記デバイスモデルを用いて、デバイス色域境界を生成し、
プロファイル接続空間の色域境界を生成し、
前記デバイス色域境界と前記プロファイル接続空間の色域境界を用いて、色域マッピングモデルを初期化し、
前記デバイスモデルと前記色域マッピングモデルを用いて、デバイス空間のサンプリングデータを変換し、前記変換ベースプロファイルにおけるAtoBルックアップテーブルを作成することを特徴とする色処理方法。
【請求項５】
測定ベースデバイスモデルプロファイルから変換ベースプロファイルを作成する色処理方法であって、
前記測定ベースデバイスモデルプロファイルのデータを用いて、デバイス色値を表色値に変換するデバイスモデルを初期化し、
前記デバイスモデルを用いて、デバイス色域境界を生成し、
プロファイル接続空間の色域境界を生成し、
前記デバイス色域境界と前記プロファイル接続空間の色域境界を用いて、色域マッピングモデルを初期化し、
前記デバイスモデルと前記色域マッピングモデルを用いて、前記プロファイル接続空間のサンプリングデータを変換し、前記変換ベースプロファイルにおけるBtoAルックアップテーブルを作成することを特徴とする色処理方法。
【請求項６】
コンピュータ装置を制御して、請求項1から請求項3の何れか一項に記載された色処理装置の各手段として機能させることを特徴とするコンピュータプログラム。
【手続補正２】
【補正対象書類名】明細書
【補正対象項目名】発明の名称
【補正方法】変更
【補正の内容】
【発明の名称】色処理装置およびその方法
【手続補正３】
【補正対象書類名】明細書
【補正対象項目名】０００１
【補正方法】変更
【補正の内容】
【０００１】
本発明は、測定ベースデバイスモデルプロファイルから変換ベースプロファイルを作成する色処理に関する。
【手続補正４】
【補正対象書類名】明細書
【補正対象項目名】０００２
【補正方法】変更
【補正の内容】
【０００２】
色管理システム(CMS)は、デバイスに依存する色空間とデバイスに依存しない色空間の間でカラー画像データを変換するために、標準化された変換ベースカラープロファイルを利用する。多くの場合、変換ベースカラープロファイルは、プリンタやディジタルカメラなどのカラーデバイスを提供するハードウェア製造業者により作成される。変換ベースカラープロファイルは、ICC (International Color Consortium)により明記された仕様を満すように設計される。現在の仕様は、非特許文献1、2から得られる。現在の仕様の内容は、参考として本明細書に取り入れられる。
【手続補正５】
【補正対象書類名】明細書
【補正対象項目名】００１９
【補正方法】変更
【補正の内容】
【００１９】
本発明にかかる色処理は、測定ベースデバイスモデルプロファイルから変換ベースプロファイルを作成する際に、前記測定ベースデバイスモデルプロファイルのデータを用いて、デバイス色値を表色値に変換するデバイスモデルを初期化し、前記デバイスモデルを用いて、デバイス色域境界を生成し、プロファイル接続空間の色域境界を生成し、前記デバイス色域境界と前記プロファイル接続空間の色域境界を用いて、色域マッピングモデルを初期化し、前記デバイスモデルと前記色域マッピングモデルを用いて、デバイス空間のサンプリングデータを変換し、前記変換ベースプロファイルにおけるAtoBルックアップテーブルを作成することを特徴とする。
【手続補正６】
【補正対象書類名】明細書
【補正対象項目名】００２０
【補正方法】変更
【補正の内容】
【００２０】
また、測定ベースデバイスモデルプロファイルから変換ベースプロファイルを作成する際に、前記測定ベースデバイスモデルプロファイルのデータを用いて、デバイス色値を表色値に変換するデバイスモデルを初期化し、前記デバイスモデルを用いて、デバイス色域境界を生成し、プロファイル接続空間の色域境界を生成し、前記デバイス色域境界と前記プロファイル接続空間の色域境界を用いて、色域マッピングモデルを初期化し、前記デバイスモデルと前記色域マッピングモデルを用いて、前記プロファイル接続空間のサンプリングデータを変換し、前記変換ベースプロファイルにおけるBtoAルックアップテーブルを作成することを特徴とする。
【手続補正７】
【補正対象書類名】明細書
【補正対象項目名】００２１
【補正方法】削除
【補正の内容】
【手続補正８】
【補正対象書類名】明細書
【補正対象項目名】００２２
【補正方法】削除
【補正の内容】
【手続補正９】
【補正対象書類名】明細書
【補正対象項目名】００２３
【補正方法】削除
【補正の内容】
【手続補正１０】
【補正対象書類名】明細書
【補正対象項目名】００２４
【補正方法】削除
【補正の内容】
【手続補正１１】
【補正対象書類名】明細書
【補正対象項目名】００２５
【補正方法】削除
【補正の内容】
【手続補正１２】
【補正対象書類名】明細書
【補正対象項目名】００２６
【補正方法】削除
【補正の内容】
【手続補正１３】
【補正対象書類名】明細書
【補正対象項目名】００２７
【補正方法】削除
【補正の内容】
【手続補正１４】
【補正対象書類名】明細書
【補正対象項目名】００２８
【補正方法】削除
【補正の内容】
【手続補正１５】
【補正対象書類名】明細書
【補正対象項目名】００２９
【補正方法】削除
【補正の内容】
【手続補正１６】
【補正対象書類名】明細書
【補正対象項目名】００３０
【補正方法】削除
【補正の内容】
【手続補正１７】
【補正対象書類名】明細書
【補正対象項目名】００３１
【補正方法】削除
【補正の内容】
【手続補正１８】
【補正対象書類名】明細書
【補正対象項目名】００３２
【補正方法】削除
【補正の内容】
【手続補正１９】
【補正対象書類名】明細書
【補正対象項目名】００３３
【補正方法】削除
【補正の内容】
【手続補正２０】
【補正対象書類名】明細書
【補正対象項目名】００３４
【補正方法】削除
【補正の内容】
【手続補正２１】
【補正対象書類名】明細書
【補正対象項目名】００３５
【補正方法】削除
【補正の内容】
【手続補正２２】
【補正対象書類名】明細書
【補正対象項目名】００３６
【補正方法】削除
【補正の内容】
【手続補正２３】
【補正対象書類名】明細書
【補正対象項目名】００３７
【補正方法】削除
【補正の内容】
【手続補正２４】
【補正対象書類名】明細書
【補正対象項目名】００３８
【補正方法】削除
【補正の内容】
【手続補正２５】
【補正対象書類名】明細書
【補正対象項目名】００３９
【補正方法】削除
【補正の内容】
【手続補正２６】
【補正対象書類名】明細書
【補正対象項目名】００４０
【補正方法】削除
【補正の内容】
【手続補正２７】
【補正対象書類名】明細書
【補正対象項目名】００４１
【補正方法】削除
【補正の内容】
【手続補正２８】
【補正対象書類名】明細書
【補正対象項目名】００４２
【補正方法】削除
【補正の内容】
【手続補正２９】
【補正対象書類名】明細書
【補正対象項目名】００４３
【補正方法】変更
【補正の内容】
【００４３】
本発明によれば、測定ベースデバイスモデルプロファイルから変換ベースプロファイルを作成することができる。